(57)【要約】【課題】従来のコネクタに代えてボールチェーンの端同士を容易に固定し、簡単には外れないようにしたストラップパーツおよびこのストラップパーツを用いたストラップの提供。【解決手段】一端面が開口されたキャップ内に収容されるストラップパーツであって、キャップの内面に対向する位置にキャップの開口面に向けてボールチェーン４を配置するための溝部２１ｂを複数有するとともに、それぞれの溝部２１ｂにボールチェーン４の球体４１と球体４１との間に配置されて球体４１を支持するためのストッパ部２２ｂを有する。【選択図】図４
2010046278.tif 000002
【特許請求の範囲】
【請求項１】
一端面が開口されたキャップ内に収容されるストラップパーツであって、
前記キャップの内面に対向する位置に前記キャップの開口面に向けてボールチェーンを配置するための溝部を複数有するとともに、それぞれの溝部にボールチェーンの球体と球体との間に配置されて球体を支持するためのストッパ部を有するストラップパーツ。
【請求項２】
前記キャップは枠体と蓋体とから構成され、前記枠体と蓋体との間に支持軸部を有するものであって、
当該ストラップパーツは、前記支持軸部が挿入される穴を有するものである請求項１記載のストラップパーツ。
【請求項３】
前記キャップは、前記開口された開口面の対面に貫通孔が形成されたものであって、
当該ストラップパーツは、紐状体の結び目が収容される中空部と、当該枠部を貫通して前記紐状体を前記キャップの貫通孔へ挿通させる貫通孔とを有するものである請求項１記載のストラップパーツ。
【請求項４】
一端面が開口されたキャップと、
このキャップ内に収容されるストラップパーツであって、前記キャップの内面に対向する位置に前記キャップの開口面に向けてボールチェーンを配置するための溝部を複数有するとともに、それぞれの溝部にボールチェーンの球体と球体との間に配置されて球体を支持するためのストッパ部を有するストラップパーツと
を有するストラップ。
【発明の詳細な説明】
【技術分野】
【０００１】
本発明は、携帯電話、携帯音楽プレイヤ、カメラ、鞄や首などからアクセサリを吊り下げるためのストラップパーツおよびストラップに関する。
【背景技術】
【０００２】
携帯電話、携帯音楽プレイヤ、カメラ、鞄や首などからアクセサリを吊り下げるためにストラップが使用される。従来のストラップとして、例えば、特許文献１〜３に記載のものが知られている。これらのストラップはループ状にしたロープにアクセサリを吊り下げるものであり、ロープの途中には上下に移動可能な移動係留体を備えている。
【０００３】
ところで、上記特許文献１〜３に記載のストラップのようなロープの場合、同一断面が連続しているため、リング状に形成するにはロープの端同士を結べば良く、簡単である。しかしながら、球体が線材によって連結されたボールチェーンの場合には、端同士を結ぶことができず、特許文献４に記載のように専用のコネクタを使用してリング状に形成する必要がある。
【０００４】
【特許文献１】特開２００７−２４４８３９号公報
【特許文献２】特開２００７−２０８２２号公報
【特許文献３】特開２００６−５５６２７号公報
【特許文献４】特開２００６−５７３号公報
【発明の開示】
【発明が解決しようとする課題】
【０００５】
ところが、このボールチェーンを接続する従来のコネクタは変形しやすく、使用中に外れてしまうことが度々ある。
【０００６】
そこで、本発明においては、従来のコネクタに代えてボールチェーンの端同士を容易に固定し、簡単には外れないようにしたストラップパーツおよびこのストラップパーツを用いたストラップを提供することを目的とする。
【課題を解決するための手段】
【０００７】
本発明のストラップパーツは、一端面が開口されたキャップ内に収容されるストラップパーツであって、キャップの内面に対向する位置にキャップの開口面に向けてボールチェーンを配置するための溝部を複数有するとともに、それぞれの溝部にボールチェーンの球体と球体との間に配置されて球体を支持するためのストッパ部を有するものである。
【０００８】
本発明のストラップパーツでは、溝部にボールチェーンの両端部を配置し、この溝部に備えられたストッパ部に、両端部のボールチェーンの球体を支持させる。そして、このボールチェーンの両端部を支持したストラップパーツをキャップ内に収容すると、ボールチェーンの両端部はキャップとストラップパーツとの間で固定され、外れなくなる。
【０００９】
ここで、キャップは枠体と蓋体とから構成され、枠体と蓋体との間に支持軸部を有するものであって、当該ストラップパーツは、支持軸部が挿入される穴を有するものであることが望ましい。これにより、キャップ内へのストラップパーツの収容は、キャップの枠体から蓋体を取り外し、枠体の軸部へストラップパーツの穴を合わせて嵌め込み、蓋体を取り付けることにより、容易に行うことができる。
【００１０】
あるいは、キャップは、開口された開口面の対面に貫通孔が形成されたものであって、当該ストラップパーツは、紐状体の結び目が収容される中空部と、当該枠部を貫通して紐状体をキャップの貫通孔へ挿通させる貫通孔とを有するものであることが望ましい。これにより、紐状体をループ状としてキャップの貫通孔および枠部の貫通孔へ挿通し、中空部内で結び目を形成して固定することができる。
【発明の効果】
【００１１】
（１）一端面が開口されたキャップ内に収容されるストラップパーツであって、キャップの内面に対向する位置にキャップの開口面に向けてボールチェーンを配置するための溝部を複数有するとともに、それぞれの溝部にボールチェーンの球体と球体との間に配置されて球体を支持するためのストッパ部を有することにより、ボールチェーンの端同士を容易に、かつ簡単に外れないように固定することができる。また、このストラップパーツによれば、ボールチェーンを所定間隔で平行に垂らしてアクセサリを吊り下げることができる。
【００１２】
（２）キャップが枠体と蓋体とから構成され、枠体と蓋体との間に支持軸部を有するものであって、当該ストラップパーツが、支持軸部が挿入される穴を有するものであることにより、キャップ内へのストラップパーツの収容は、キャップの枠体から蓋体を取り外し、枠体の軸部へストラップパーツの穴を合わせて嵌め込み、蓋体を取り付けることにより、容易に行うことができる。
【００１３】
（３）キャップが、開口された開口面の対面に貫通孔が形成されたものであって、当該ストラップパーツが、紐状体の結び目が収容される中空部と、当該枠部を貫通して紐状体をキャップの貫通孔へ挿通させる貫通孔とを有するものであることにより、紐状体をループ状としてキャップの貫通孔および枠部の貫通孔へ挿通し、中空部内で結び目を形成して固定することができる。これにより、ループ状とした紐状体により携帯電話、携帯音楽プレイヤ、カメラ、鞄や首などへと取り付け、このストラップパーツからボールチェーンを所定間隔で平行に垂らしてアクセサリを吊り下げることができる。
【発明を実施するための最良の形態】
【００１４】
図１は本発明の実施の形態におけるストラップを示す図であって、（ａ）は正面図、（ｂ）は（ａ）の蓋体を取り外した状態を示す正面図である。図１において、本発明の実施の形態におけるストラップは、それぞれストラップパーツとしてのキャップ１、保持体２、紐３およびボールチェーン４により構成されている。保持体２はボールチェーン４を保持するものであり、ボールチェーン４を保持した状態でキャップ１内に収容される。
【００１５】
図２はキャップ１の詳細を示す分解図であって、（ａ）は枠体を示す図、（ｂ）は蓋体を示す図である。図２に示すように、キャップ１は、枠体１０と蓋体１１とから構成されている。枠体１０内には、保持体２を収容するための保持体収容部１２と、紐３が挿通される貫通孔１３と、紐３の結び目３０を収容するための結び目収容部１４とが形成されている。保持体収容部１２は保持体２の形状に合わせて形成されており、中央には保持体２を支持するための支持軸部１５が設けられている。また、保持体収容部１２には、保持体２を位置決めする位置決め部としての凹部１６が設けられている。
【００１６】
一方の蓋体１１には、枠体１０の支持軸部１５の位置に合わせて蓋体１１を枠体１０に固定するための貫通孔１７が形成されている。枠体１０の支持軸部１５には、ねじ穴１５ａが形成されており、蓋体１１は、貫通孔１７とねじ穴１５ａを利用してビス５（図１参照。）により枠体１０に固定される。
【００１７】
図３は保持体２の詳細を示す図であって、（ａ）は平面図、（ｂ）は左側面図、（ｃ）は正面図、（ｄ）は右側面図、図４は保持体２にボールチェーン４を取り付けた状態を示す右側面図である。
【００１８】
図３に示すように、保持体２は、キャップ１の枠体１０の保持体収容部１２に嵌め込まれる形状となっており、中央には支持軸部１５が挿入される貫通孔２０が形成されている。また、保持体２は、キャップ１の互いに対面する内面１８ａ，１８ｂに対向する位置に、キャップ１の開口面１９に向けてボールチェーン４を配置するための溝部２１ａ，２１ｂを有する。
【００１９】
また、それぞれの溝部２１ａ，２１ｂには、ボールチェーン４の球体４０と球体４０との間に配置されて球体４０を支持するためのストッパ部２２ａ，２２ｂを有する。ストッパ部２２ａ，２２ｂは、ボールチェーン４の球体４０を通さずに、球体４０と球体４０とを連結する線材４１を通す隙間が形成されたものであり、図４に示すようにボールチェーン４を支持する。また、保持体２の背面には、保持体収容部１２の凹部１６に係合する凸部２３が設けられている。
【００２０】
上記構成のストラップは、まず、図１に示すようにボールチェーン４をＵ字状に配置し、このボールチェーン４の両端部を保持体２の両溝部２１ａ，２１ｂ内に配置し、ストッパ部２２ａ，２２ｂに係合させる。そして、この状態で保持体２およびボールチェーン４をキャップ１の枠体１０内に配置する。一方、枠体１０の貫通孔１３には紐３が挿通され、結び目３０が結び目収容部１４に配置される。最後に枠体１０に蓋体１１を装着し、ビス５により固定する。
【００２１】
これにより、ボールチェーン４は、その両端部がキャップ１と保持体２との間で固定され、外れなくなる。すなわち、本実施形態におけるストラップでは、ボールチェーン４の端同士を容易に、かつ簡単に外れないように固定することができる。また、このストラップによれば、ボールチェーン４を所定間隔で平行に垂らしてアクセサリを吊り下げることができる。
【００２２】
また、このストラップでは、キャップ１が枠体１０と蓋体１１とから構成され、枠体１０と蓋体１１との間に支持軸部１５を有し、保持体２が、支持軸部１５が挿入される貫通孔２０を有するので、キャップ１内への保持体２の収容は、キャップ１の枠体１０から蓋体１１を取り外し、枠体１０の支持軸部１５へ保持体２の貫通孔２０を合わせて嵌め込み、蓋体１１を取り付けることにより、容易に行うことができる。
【００２３】
また、このストラップでは、保持体２の背面に、保持体収容部１２の凹部１６に係合する凸部２３が設けられているので、保持体２を保持体収容部１２に嵌め込んだ際にこの凹部１６と凸部２３とが嵌合し、保持体２が位置決めされる。これにより、保持体２が支持軸部１５を中心として回転することがなく、保持体収容部１２内で安定する。なお、凹部１６と凸部２３とは、凹凸を逆にすることも可能である。
【００２４】
また、保持体２の貫通孔２０は必ずしも貫通していることを要さず、貫通していない有底穴とすることも可能である。この場合、枠体１０と蓋体１１とは図１に示すようにビス５で支持軸部１５に固定するのではなく、別の部位でビスにより固定したり、接着剤にて固定したりすることができる。
【００２５】
次に、本発明の別の実施の形態について説明する。図５は本発明の別の実施形態におけるストラップを示す図であって、（ａ）は正面図、（ｂ）は断面図である。図５に示すストラップは、それぞれストラップパーツとしてのキャップ６、保持体７、紐３およびボールチェーン４とから構成されている。保持体７はボールチェーン４を保持するものであり、ボールチェーン４を保持した状態でキャップ６内に収容される。
【００２６】
図６はキャップ６を示す図であって、（ａ）は平面図、（ｂ）は左側面図、（ｃ）は正面図、（ｄ）は断面図、（ｅ）は底面図である。図６に示すように、キャップ６は、直方体状の中空部６０を有し、一端面が開口されている（開口面６１）。また、この開口面６１の対面には貫通孔６２が形成されている。貫通孔６２は、紐３を通すための孔である。
【００２７】
図７は保持体７を示す図であって、（ａ）は平面図、（ｂ）は左側面図、（ｃ）は正面図、（ｄ）は右側面図である。図７に示すように、保持体７は、キャップ６内の中空部６０に嵌め込まれる形状となっている。保持体７は、第１の紐状体である紐３の結び目３０（図５参照。）が収容される中空部７０と、保持体７の上面と中空部７０とを貫通して紐３をキャップ６の貫通孔６２へ挿通させる貫通孔７１とを有する。
【００２８】
また、保持体７は、キャップ６の互いに対面する内面６３ａ，６３ｂに対向する位置に、キャップ６の開口面６１に向けたボールチェーン４を配置するための溝部７２ａ，７２ｂを有する。また、それぞれの溝部７２ａ，７２ｂには、前述の保持体２と同様のストッパ部７３ａ，７３ｂを有する。
【００２９】
上記構成のストラップでは、貫通孔７１に紐３を挿通し、結び目３０を中空部７０に配置するとともに、ボールチェーン４をＵ字状に配置し、このボールチェーン４の両端部を保持体７の両溝部７２ａ，７２ｂ内に配置し、ストッパ部７３ａ，７３ｂに係合させる。その後、紐３をキャップ６の開口面６１から中空部６０を通して貫通孔６２に挿通し、引っ張ると、保持体７がキャップ６の中空部６０に引き込まれ、図５（ｂ）に示すように保持体７がキャップ６内に嵌合される。
【００３０】
これにより、ボールチェーン４は、その両端部がキャップ６と保持体７との間で固定され、外れなくなる。この構成のストラップでも、ボールチェーン４を所定間隔で平行に垂らしてアクセサリを吊り下げることができる。また、この構成では、図１に示すストラップのようにビス５によって枠体１０と蓋体１１とを固定する必要がなく、見栄えの良いストラップとなる。
【産業上の利用可能性】
【００３１】
本発明は、携帯電話、携帯音楽プレイヤ、カメラ、鞄や首などからアクセサリを吊り下げるためのストラップパーツおよびストラップとして有用である。特に、本発明は、従来のコネクタに代えてボールチェーンの端同士を容易に固定し、簡単には外れないようにしたストラップパーツおよびストラップとして好適である。
【図面の簡単な説明】
【００３２】
【図１】本発明の実施の形態におけるストラップを示す図であって、（ａ）は正面図、（ｂ）は（ａ）の蓋体を取り外した状態を示す正面図である。
【図２】キャップの詳細を示す分解図であって、（ａ）は枠体を示す図、（ｂ）は蓋体を示す図である。
【図３】保持体の詳細を示す図であって、（ａ）は平面図、（ｂ）は左側面図、（ｃ）は正面図、（ｄ）は右側面図である。
【図４】保持体にボールチェーンを取り付けた状態を示す右側面図である。
【図５】本発明の別の実施形態におけるストラップを示す図であって、（ａ）は正面図、（ｂ）は断面図である。
【図６】キャップを示す図であって、（ａ）は平面図、（ｂ）は左側面図、（ｃ）は正面図、（ｄ）は断面図、（ｅ）は底面図である。
【図７】保持体を示す図であって、（ａ）は平面図、（ｂ）は左側面図、（ｃ）は正面図、（ｄ）は右側面図である。
【符号の説明】
【００３３】
１  キャップ
１０  枠体
１１  蓋体
１２  保持体収容部
１３  貫通孔
１４  結び目収容部
１５  支持軸部
１５ａ  ねじ穴
１６  凹部
１７  貫通孔
１８ａ，１８ｂ  内面
１９  開口面
２  保持体
２０  貫通孔
２１ａ，２１ｂ  溝部
２２ａ，２２ｂ  ストッパ部
２３  凸部
３  紐
３０  結び目
４  ボールチェーン
４０  球体
４１  線材
５  ビス
６  キャップ
６０  中空部
６１  開口面
６２  貫通孔
６３ａ，６３ｂ  内面
７  保持体
７０  中空部
７１  貫通孔
７２ａ，７２ｂ  溝部
７３ａ，７３ｂ  ストッパ部
【図１】
2010046278.tif 000003
【図２】
2010046278.tif 000004
【図３】
2010046278.tif 000005
【図４】
2010046278.tif 000006
【図５】
2010046278.tif 000007
【図６】
2010046278.tif 000008
【図７】
2010046278.tif 000009